(57)【要約】  タバコ産業製品（１）の周囲で折り曲げられる包装材ブランクであって、このブランクには脆弱線（１２）が形成され、これに沿って包装材ブランクの一部を包装材ブランクの残りから切り離すことができるようになっている。脆弱線（１２）の少なくとも一部は非直線状の経路をたどる。
2016513053.tif 000002
【特許請求の範囲】
【請求項１】
タバコ産業製品の周囲で折り曲げ可能な包装材ブランクであって、この包装材ブランクには脆弱線が形成され、これにより包装材ブランクの一部を残りの部分から脆弱線に沿って切り離すことができ、脆弱線の少なくとも一部が非直線状の経路をたどる包装材ブランク。
【請求項２】
脆弱線の非直線状部分がジグザグパターンをたどることを特徴とする請求項１に記載の包装材ブランク。
【請求項３】
脆弱線の非直線状部分が振動状経路をたどることを特徴とする請求項１に記載の包装材ブランク。
【請求項４】
脆弱線の非直線状部分が弧状の経路をたどることを特徴とする請求項１に記載の包装材ブランク。
【請求項５】
脆弱線の非直線状断片がＶ字状の経路をたどることを特徴とする請求項１に記載の包装材ブランク。
【請求項６】
喫煙品パックに挿入するための喫煙品の束であって、側壁によって隔てられる前壁および後壁を有する包装材シートに包まれた１パック分の喫煙品を含み、この包装材は前壁を横断して延びている部分を有する脆弱線を含み、これにより包装材ブランクの一部を残りの部分から脆弱線に沿って切り離して、これら１パック分の喫煙品を取り出せるようにし、脆弱線の前記部分が非直線状の経路をたどる喫煙品の束。
【請求項７】
脆弱線の非直線状部分がジグザグパターンをたどることを特徴とする請求項６に記載の喫煙品の束。
【請求項８】
脆弱線の非直線状部分が振動状経路をたどることを特徴とする請求項６に記載の喫煙品の束。
【請求項９】
脆弱線の非直線状部分が振動状経路をたどることを特徴とする請求項６に記載の喫煙品の束。
【請求項１０】
脆弱線の非直線状断片がＶ字状の経路をたどることを特徴とする請求項６に記載の喫煙品の束。
【請求項１１】
請求項６乃至１０のいずれか１項に記載の喫煙品の束を含み、蓋が開いている時は脆弱線の非直線状部分が見えなくなるように設計された本体および蓋を含む喫煙品パック。
【請求項１２】
添付図面を参照して実質的に説明された包装材ブランク。
【請求項１３】
添付図面を参照して実質的に説明された喫煙品の束。
【発明の詳細な説明】
【技術分野】
【０００１】
本発明は、タバコ産業製品の周囲で折り曲げられる包装材ブランクに関する。また本発明は１パック分の喫煙品とこれら１パック分の喫煙品を包む包装材とを含む喫煙品の束およびパックに収容される喫煙品の束に関する。
【背景技術】
【０００２】
シガレット、シガース、シガリロなどの喫煙品は、概して数本がまとめて同梱されており、例えば金属箔でラミネート加工された紙シートなどのシート材の中に包装される。このシート材は喫煙品中のタバコの鮮度と香りを維持するのに役立つ。包装された１パック分の喫煙品はさらに、機械的および環境的なダメージから紙巻きタバコを保護するパックの中に収納される。あらゆる環境的影響から喫煙品を確実に守るため、パックは透明なプラスチック製フィルムに包まれる。
【０００３】
喫煙品に触れようと、ユーザーがプラスチック製フィルムのタブを引っ張ることでプラスチック製フィルムが破けて開く。その後、ユーザーがパックの蓋を開くことでラミネート加工された包装材が露出する。その包装材は、通常ユーザーがその一部を容易に切り離して内部に保持されている喫煙品に触れられるようにミシン目線が形成される。
【発明の概要】
【課題を解決するための手段】
【０００４】
本発明の一態様ではタバコ産業製品の周囲で折り曲げ可能な包装材ブランクが提供され、この包装材ブランクには脆弱線が形成され、これにより包装材ブランクの一部を残りの部分から脆弱線に沿って切り離すことができ、脆弱線の少なくとも一部が非直線状の経路をたどる。
【０００５】
脆弱線の非直線状部分はジグザグパターン、振動経路、弧状経路またはＶ字状経路をたどってもよい。
【０００６】
本発明の別の一態様では喫煙品パックに挿入するための喫煙品の束であって、この束は側壁によって隔てられる前壁および後壁を有する包装材シートに包まれた１パック分の喫煙品を含み、この包装材は前壁を横断して延びている部分を有する脆弱線を含み、これにより包装材ブランクの一部を残りの部分から脆弱線に沿って切り離して、これら１パック分の喫煙品を取り出せるようにし、脆弱線の前記部分が非直線状の経路をたどる。
【０００７】
脆弱線の非直線状断片はジグザグパターン、振動状経路、弧状の経路またはＶ字状経路であってよい。
【０００８】
本発明のさらに異なる一態様では上述の特徴のいずれかを含む喫煙品の束を収容する喫煙品パックが提供され、このパックは蓋が開いている時は脆弱線の非直線状断片が見えなくなるように設計された本体および蓋を含む。
【図面の簡単な説明】
【０００９】
【図１】本発明の包装された喫煙品の束を正面から見た透視図である。
【図２】図１で示した包装された喫煙品の束の斜視図である。
【図３】パック内に収容された包装された本発明の喫煙品の束の正面図である。
【図４】本発明の包装材ブランクを示す。
【発明を実施するための形態】
【００１０】
本発明の実施態様を添付図面を参照し、あくまで例示を目的として説明する。
【００１１】
図を参照すると、図１および２において、喫煙品パック１５に挿入するため包装材に包装された１パック分の喫煙品１が示されている。図４に示すように、包装材は細長い包装材シート／ブランク３である。包装材シート／ブランク３は金属箔で形成されてもよく、金属箔でラミネート加工された紙で形成されてもよい。包装材ブランクは、１パック分の喫煙品１を包んで束２を形成し、これら喫煙品がそれぞれの長手方向軸「Ａ」が互いに平行になる列に配置されている。
【００１２】
包装材シート／ブランク３は１パック分の喫煙品１を包む。これは前壁４および後壁（図示せず）を形成するように１パック分の喫煙品の周囲で折り曲げられる。ここで、前壁４および後壁は喫煙品の長手方向軸「Ａ」に対して平行である。包装材シート３は喫煙品の燃焼端６に接する底壁５も形成する。さらに包装材シートは、下記に詳述するように、包装された喫煙品の束２の側壁８、９および上壁１１を形成する。
【００１３】
側壁８、９は、前壁４および後壁から束の側部に向かって延び、喫煙品の側部の周囲で折り曲げられ、その上に位置する側部フラップ４ａ、４ｂを含む（図２において右側のものだけ見えている）。前壁４から延びているフラップ４ａは後壁から延びているフラップ４ｂの上に重なっている。
【００１４】
同様に、前壁４、後壁および２つの側壁８、９から延びていて、底壁５と反対方向にある上部フラップ１４ａ、１４ｂ、１４ｃ、１４ｄは、喫煙品の吸い口端７上で折り畳まれ、上壁１１を形成する。側壁８、９から延びている上部フラップ１４ｃ、１４ｄがまず折り畳まれ、その後後壁から延びている上部フラップ１４ｂが折り畳まれ、最後に前壁４から延びている上部フラップ１４ａが他の上部フラップ１４ｂ、１４ｃ、１４ｄの全ての上に重なるように折り畳まれる。
【００１５】
包装材シート３は脆弱線１２を含む。この線は、切り込んだり、ミシン目を入れたり、または穿刺して脆い線を形成して作ることができる。図４に示すように脆弱線１２は、包装材シート３の２つの長辺の間に亘って延び、包装材シートの１つの部分１３を画定している。包装材シート３が喫煙品１の束を包む際、脆弱線１２は前壁４の上およびこれに対応し束の側壁８、９の一部を形成している側部フラップ４ａの上に位置する（図２において１つだけが見えている）。従って、部分１３は喫煙品の束の上端を形成する。
【００１６】
喫煙品の束から部分１３を取り外すため、ユーザーは喫煙品２の束の前壁４から延びている上部フラップ１４ａを引っ張り、脆弱線１２に沿って包装を引き裂くまたは切り離す。ユーザーは図２および３において矢印（「Ｂ」）で表される喫煙品の縦軸と平行な方向に引っ張る。この方向は第１の方向とする。
【００１７】
脆弱線１２は第１の方向に対して斜角な経路をたどる。従って、脆弱線１２は当該分野において周知なものよりも長くなる。引っ張る力に対して直角方向に延びる脆弱線を含む包装と比較して、このような構造は部位１３をラッピングから取り除くためにはより大きな力が必要となる点で有利である。従って本発明のラッピングは従来技術と比べて耐久性が改善される。
【００１８】
包装の耐久性が向上することで、従来技術で周知な喫煙品の束を包装するために使用される包装材シートよりも包装材シート３を薄くすることが可能となる。例えば、耐久性を損なうことなく、本発明の包装材シートの厚さは０．１ｍｍ以下とすることができる。引っ張る力に対して直角方向に延びる脆弱線を含む従来の包装は０．１ｍｍ以下に薄くすることが不可能だった。包装材シートの脆弱線または他の箇所が偶発的に裂けてしまうからである。
【００１９】
包装材の耐久性を損なうことなく包装材シートを薄くできるため、本発明の包装は従来から周知のものよりも費用対効果に優れている。
【００２０】
図１〜４で示した実施態様の脆弱線１２はジグザグ状であるが、少なくとも一断片が第１の方向に対して斜角になっているあらゆるパターンまたは経路は本発明の範囲に含まれる。例えば、脆弱線１２は、第１および第２の部分を持ち、第１の部分は第１の方向に対して第１の角度で延び第２の部分は第１の方向に対して第２の角度で延び、第１の角度と第２の角度は異なっていても良い。ゆえに、脆弱線は前述の通りジグザグパターンであってもよいし、または曲線状経路、波動状経路もしくは第１の方向に対して異なる斜角に延びる第１および第２の部分を含む他のいかなるランダム形状の経路であってもよい。
【００２１】
また当然のことながら、包装された喫煙品の束の前壁４を横切って延びる弓型状、Ｖ字状の脆弱線は本発明の範囲に含まれる。
【００２２】
図３を参照すると、パック１５を正面から見た透視図が記載されている。フレーム１６および喫煙品の束２がパック１５の中に収納されている。フレーム１６および喫煙品の束２は破線で示している。パック１５は本体１７および蓋１８を含む。本体１７はパックが閉じている時に蓋１８の対応する縁部と接触する上縁部１９を備える。
【００２３】
喫煙品の束２がパック１５内部に収納されている場合、ユーザーが蓋１８を開けて喫煙品の束２の部位１３を取り外す際に部位１３上にユーザーに見える別個の縁部を形成するように、脆弱線は本体１７の上縁部１９の下に位置する。パック１５の本体１７の上縁部１９の下に位置するため、喫煙品の束２の残りの上に形成された対応する別個の縁部はユーザーには見えない。
【００２４】
当然のことながら、上述した喫煙品の束２は本明細書で説明したパックに限定されない。喫煙品の束には、取り除ける部分を有するラッピングの中に１パック分の喫煙品を包装できるいかなるパックを使用することができる。
【００２５】
本明細書に用いられる用語「喫煙品」は、タバコ、タバコ派生物、膨張タバコ、再生タバコ、またはタバコ代替え品をベースにしているかに拘わらずシガレット、シガー、シガリロなどの喫煙可能な製品および加熱されるが燃焼しない製品を含むが、これらに限定されない。喫煙品には、喫煙者によって吸引される気体流用のフィルタを設けてもよい。
【００２６】
さらに、本発明は喫煙品に限定されない。当然のことながら、包装材ブランクまたはシートはいかなるタバコ産業製品を包むまたはタバコ産業製品の周囲で折り曲げることができる。
【００２７】
タバコ産業製品は、タバコ産業において製造または販売されるいかなる物品も意味し、典型的には、
ａ）シガレット、シガリロ、シガー、パイプ用または手巻きシガレット用のタバコ（タバコ、タバコ派生物、膨張タバコ、再生タバコ、またはタバコ代替え品をベースにしているかに拘わらない）、
ｂ）スナフ、スヌース、ハードタバコ、非燃焼熱製品などのタバコ、タバコ派生物、膨張タバコ、再生タバコ、またはタバコ代替え品を導入した非喫煙製品、
ｃ）吸入器、錠剤、ガムなどのその他のニコチン送達手段
を含む。このリストは限定を意図するものではなく、タバコ産業において製造または販売される製品の種類を単に例示したに過ぎない。
【００２８】
タバコ産業パックは、タバコ産業製品を包含および／または梱包することができるいかなるパックも意味する。
【００２９】
様々な課題を解決し技術を発展させることを目的として、図示を含むこの開示全体は、請求項に係る発明を実施して従来よりも優れた喫煙品の束を提供し得る種々の実施態様を示している。この開示の利点および特徴は、実施態様という典型的な例を示すことのみであって、包括的および／または排他的ではない。それらは理解を助けるため、および請求された原理を教示するためだけに提出される。それらは全ての請求項に係る発明の典型例ではないと理解されるべきである。このように開示の特定の態様はここでは議論されていない。別の実施態様は本発明の特定の一部としては提示されていないかもしれない。記述されていない別のさらなる実施態様が本発明の一部として利用可能であるかもしれず、これらの別の実施態様を放棄したものと考えるものではない。これら記述されない実施態様の多くは本発明と同一の原理を組み入れるものであり、また他の実施態様も全く同じであると解されるべきである。ゆえに、他の実施態様を利用しても良く、開示の範囲および／またはその意図から外れない限り変更を加えても良いと理解されるべきである。このように実施例および／または実施態様の全てはこの開示全体を通して限定されない。また本明細書で説明した実施態様と説明しなかった実施態様とを比較して推論するべきではない。これらはスペースの節約および繰り返し表現の低減といった目的以外に差はない。種々の実施態様は、説明した要素、成分、特徴、部品、工程、手法などの種々の組み合わせを適宜含んでも良いし、それらのみから構成されても良いし、またはそれらを主に構成されても良い。説明した特徴、要素、実施などの中には１つの実施態様において同時に存在し得ない、相反するものがあっても良い。同様に、いくつかの特徴は開示したある態様では適用可能であるが、他の態様では適用することができない。加えて、この開示は現在請求していない他の発明を含んでいる。出願人は、現在請求していないこれら発明を請求するために追加出願、継続出願、一部継続出願、分割出願および／またはこれらに準ずるものを提出する権利を含む、それら発明に関する全ての権利を保有する。このように、開示の利点、実施態様、例示、機能、特徴、構造および／または他の態様は請求項または請求項の均等物の限定によって定義されるように、開示されたものに限定されない。
【図１】
2016513053.tif 000003
【図２】
2016513053.tif 000004
【図３】
2016513053.tif 000005
【図４】
2016513053.tif 000006
【手続補正書】
【提出日】平成27年10月19日(2015.10.19)
【手続補正１】
【補正対象書類名】特許請求の範囲
【補正対象項目名】全文
【補正方法】変更
【補正の内容】
【特許請求の範囲】
【請求項１】
タバコ産業製品の周囲で折り曲げ可能な包装材ブランクであって、この包装材ブランクには脆弱線が形成され、これにより包装材ブランクの一部を残りの部分から脆弱線に沿って切り離すことができ、脆弱線の少なくとも一部が非直線状の経路をたどる包装材ブランク。
【請求項２】
脆弱線の非直線状部分がジグザグパターンをたどることを特徴とする請求項１に記載の包装材ブランク。
【請求項３】
脆弱線の非直線状部分が振動状経路をたどることを特徴とする請求項１に記載の包装材ブランク。
【請求項４】
脆弱線の非直線状部分が弧状の経路をたどることを特徴とする請求項１に記載の包装材ブランク。
【請求項５】
脆弱線の非直線状断片がＶ字状の経路をたどることを特徴とする請求項１に記載の包装材ブランク。
【請求項６】
喫煙品パックに挿入するための喫煙品の束であって、側壁によって隔てられる前壁および後壁を有する包装材シートに包まれた１パック分の喫煙品を含み、この包装材は前壁を横断して延びている部分を有する脆弱線を含み、これにより包装材ブランクの一部を残りの部分から脆弱線に沿って切り離して、これら１パック分の喫煙品を取り出せるようにし、脆弱線の前記部分が非直線状の経路をたどる喫煙品の束。
【請求項７】
脆弱線の非直線状部分がジグザグパターンをたどることを特徴とする請求項６に記載の喫煙品の束。
【請求項８】
脆弱線の非直線状部分が振動状経路をたどることを特徴とする請求項６に記載の喫煙品の束。
【請求項９】
脆弱線の非直線状部分が振動状経路をたどることを特徴とする請求項６に記載の喫煙品の束。
【請求項１０】
脆弱線の非直線状断片がＶ字状の経路をたどることを特徴とする請求項６に記載の喫煙品の束。
【請求項１１】
請求項６乃至１０のいずれか１項に記載の喫煙品の束を含み、蓋が開いている時は脆弱線の非直線状部分が見えなくなるように設計された本体および蓋を含む喫煙品パック。
【国際調査報告】
2016513053.tif 000007
2016513053.tif 000008
2016513053.tif 000009